【手続補正書】
【提出日】平成28年7月20日(2016.7.20)
【手続補正１】
【補正対象書類名】特許請求の範囲
【補正対象項目名】全文
【補正方法】変更
【補正の内容】
【特許請求の範囲】
【請求項１】
ディスプレイを有する又はディスプレイと接続されたコンピュータである送信側コンピュータに接続して用いられるものであり、ディスプレイを有するコンピュータである受信側コンピュータと無線ＬＡＮを介しての通信を行うことができるようになっている通信装置であって、
前記送信側コンピュータが有する又は前記送信側コンピュータと接続されたディスプレイである第１ディスプレイに表示されている画像である表示画像からフレームを落としてキャプチャされた一画面分の画像のデータである画像データと、前記第１ディスプレイに表示されているポインタの前記第１ディスプレイ上での位置を特定するデータである位置データとを、前記送信側コンピュータから所定のタイミングで受付ける受付手段と、
前記画像データを所定の形式に圧縮した圧縮データとする圧縮手段と、
前記圧縮データと前記位置データとを、無線ＬＡＮの機能を用いて、所定の時間間隔で受信側コンピュータに送信する送信手段と、
を備えており、
前記圧縮データを受け取った前記受信側コンピュータが、前記圧縮データを伸長して前記画像データとするとともに、前記画像データによる画像の前記位置データで特定される位置にポインタを合成表示した画像である合成画像を、それが備えるディスプレイである第２ディスプレイに表示できるようにするものとされている、
通信装置。
【請求項２】
ディスプレイを有する又はディスプレイと接続されたコンピュータである送信側コンピュータに接続して用いられるものであり、ディスプレイを有するコンピュータである受信側コンピュータと無線ＬＡＮを介しての通信を行うことができるようになっている通信装置にて実行される方法であって、
前記通信装置が実行する、
前記送信側コンピュータが有する又は前記送信側コンピュータと接続されたディスプレイである第１ディスプレイに表示されている画像である表示画像からフレームを落としてキャプチャされた一画面分の画像のデータである画像データと、前記第１ディスプレイに表示されているポインタの前記第１ディスプレイ上での位置を特定するデータである位置データとを、前記送信側コンピュータから所定のタイミングで受付ける受付過程と、
前記画像データを所定の形式に圧縮した圧縮データとする圧縮過程と、
前記圧縮データと前記位置データとを、無線ＬＡＮの機能を用いて、所定の時間間隔で受信側コンピュータに送信する送信過程と、
を含んでおり、
前記圧縮データを受け取った前記受信側コンピュータが、前記圧縮データを伸長して前記画像データとするとともに、前記画像データによる画像の前記位置データで特定される位置にポインタを合成表示した画像である合成画像を、それが備えるディスプレイである第２ディスプレイに表示できるようにする、
方法。
【請求項３】
ディスプレイを有する又はディスプレイと接続されたコンピュータである送信側コンピュータに接続して用いられるものであり、ディスプレイを有するコンピュータである受信側コンピュータと無線ＬＡＮを介しての通信を行うことができるようになっているコンピュータを、通信装置として機能させるためのコンピュータプログラムであって、
通信装置に含まれる前記コンピュータに、
前記送信側コンピュータが有する又は前記送信側コンピュータと接続されたディスプレイである第１ディスプレイに表示されている画像である表示画像からフレームを落としてキャプチャされた一画面分の画像のデータである画像データと、前記第１ディスプレイに表示されているポインタの前記第１ディスプレイ上での位置を特定するデータである位置データとを、前記送信側コンピュータから所定のタイミングで受付ける受付過程と、
前記画像データを所定の形式に圧縮した圧縮データとする圧縮過程と、
前記圧縮データと前記位置データとを、無線ＬＡＮの機能を用いて、所定の時間間隔で受信側コンピュータに送信する送信過程と、
を実行させるようになっており、
前記圧縮データを受け取った前記受信側コンピュータが、前記圧縮データを伸長して前記画像データとするとともに、前記画像データによる画像の前記位置データで特定される位置にポインタを合成表示した画像である合成画像を、それが備えるディスプレイである第２ディスプレイに表示できるようにするようになっている、
コンピュータプログラム。
【請求項４】
請求項１記載の通信装置と通信を行う送信側コンピュータであって、
第１ディスプレイを有するか第１ディスプレイと接続されているとともに、
前記第１ディスプレイに表示されている画像である表示画像からフレームを落としてキャプチャされた一画面分の画像のデータである画像データと、前記第１ディスプレイに表示されているポインタの前記第１ディスプレイ上での位置を特定するデータである位置データとを、前記通信装置に送信する手段、
を備えている、送信側コンピュータ。
【請求項５】
請求項１記載の通信装置と通信を行う送信側コンピュータで実行される方法であって、
前記送信側コンピュータが実行する、
前記第１ディスプレイに表示されている画像である表示画像からフレームを落としてキャプチャされた一画面分の画像のデータである画像データと、前記第１ディスプレイに表示されているポインタの前記第１ディスプレイ上での位置を特定するデータである位置データとを、前記通信装置に送信する過程、
を含む、
方法。
【請求項６】
コンピュータを、請求項１記載の通信装置と通信を行う送信側コンピュータとして機能させるためのコンピュータプログラムであって、
前記送信側コンピュータの前記コンピュータに、
前記第１ディスプレイに表示されている画像である表示画像からフレームを落としてキャプチャされた一画面分の画像のデータである画像データと、前記第１ディスプレイに表示されているポインタの前記第１ディスプレイ上での位置を特定するデータである位置データとを、前記通信装置に送信する過程、
を実行させるようになっている、
コンピュータプログラム。
【請求項７】
ディスプレイを有する又はディスプレイと接続されたコンピュータである送信側コンピュータと、前記送信側コンピュータに接続して用いられるものであり、ディスプレイを有するコンピュータである受信側コンピュータと、前記受信側コンピュータと無線ＬＡＮを介しての通信を行うことができるようになっている通信装置と、を含む通信システムであって、
前記通信装置が、
前記送信側コンピュータが有する又は前記送信側コンピュータと接続されたディスプレイである第１ディスプレイに表示されている画像である表示画像からフレームを落としてキャプチャされた一画面分の画像のデータである画像データと、前記第１ディスプレイに表示されているポインタの前記第１ディスプレイ上での位置を特定するデータである位置データとを、前記送信側コンピュータから所定のタイミングで受付ける受付手段と、
前記画像データを所定の形式に圧縮した圧縮データとする圧縮手段と、
前記圧縮データと前記位置データとを、無線ＬＡＮの機能を用いて、所定の時間間隔で受信側コンピュータに送信する送信手段と、
を備えており、
前記圧縮データを受け取った前記受信側コンピュータが、前記圧縮データを伸長して前記画像データとするとともに、前記画像データによる画像の前記位置データで特定される位置にポインタを合成表示した画像である合成画像を、それが備えるディスプレイである第２ディスプレイに表示できるようにするものとされている、
通信システム。